(57)【要約】【課題】本発明は、加熱ベルトの内側の熱源の熱を加熱ベルトに効率的に伝熱する構造を備えた定着装置および画像形成装置を提供する。【解決手段】未定着トナー像を保持して搬送されてきた記録媒体を加熱する加熱ベルト１１１を備えた加熱器１１０と、記録媒体を加熱器１１０との間に挟んで加圧し、加熱器１１０による加熱と協同して、記録媒体上の未定着トナー像を記録媒体に定着する加圧器１２０とを有し、加熱器１１０がさらに、加熱ベルト１１１の内側に配置され加熱ベルト１１１の内面に接する接触領域Ｄ０を形成して広がる熱吸収部材１１６と、接触領域Ｄ０において、加熱ベルト１１１との間に熱吸収部材１１６を挟んで熱吸収部材１１６に接するハロゲンランプ１１３と、熱吸収部材１１６との間にハロゲンランプ１１３を置いてハロゲンランプ１１３から離れて広がり、熱吸収部材１１６に接する熱反射部材１１７とを備えた。【選択図】図４
2017026876.tif 000002
【特許請求の範囲】
【請求項１】
無端状に形成されて周回しながら、未定着トナー像を保持して搬送されてきた記録媒体を加熱する加熱ベルトを備えた加熱器と、
前記記録媒体を前記加熱器との間に挟んで加圧し、該加熱器による加熱と協同して、該記録媒体上の未定着トナー像を該記録媒体に定着する加圧器とを有し、
前記加熱器がさらに、
前記加熱ベルトの内側に配置され該加熱ベルトの内面に接する接触領域を形成して広がる第１の板体と、
前記接触領域において、前記加熱ベルトとの間に前記第１の板体を挟んで該第１の板体に接する熱源と、
前記第１の板体との間に前記熱源を置いて該熱源から離れて広がる第２の板体とを備え、
前記第１の板体が、前記第２の板体と比べ相対的に、熱の吸収率が高い部材であり、
前記第２の板体が、前記第１の板体と比べ相対的に、熱の反射率が高い部材であって、さらに、該第２の板体が該第１の板体に接していることを特徴とする定着装置。
【請求項２】
前記第２の板体が、前記第１の板体にのみ支持されていることを特徴とする請求項１記載の定着装置。
【請求項３】
前記第１の板体と前記第２の板体が一体の部材からなり、表面処理によって熱の吸収率と反射率に差異を持たせたものであることを特徴とする請求項１又は２記載の定着装置。
【請求項４】
請求項１から３のうちのいずれか１項記載の定着装置と、
記録媒体上に未定着トナー像を形成する像形成装置と、
記録媒体を前記像形成装置と前記定着装置を通過する経路上を搬送する搬送装置とを備えたことを特徴とする画像形成装置。
【発明の詳細な説明】
【技術分野】
【０００１】
本発明は、定着装置および画像形成装置に関する。
【背景技術】
【０００２】
特許文献１には、ヒータの周りをヒータから離れて反射鏡で取り巻き、ヒータからの熱を反射鏡で反射して、定着ベルト内面に接してその定着ベルトに熱を与える部材に集める構造が開示されている。
【０００３】
特許文献２には、楕円鏡の２つの焦点のうちの１つにヒータを配置し、もう１つに定着ベルトに熱を伝える部材の受熱部を配置した構造が開示されている。
【０００４】
特許文献３には、ヒータの熱による過昇温を抑制する遮蔽部材の変形を抑える形状規制部材を備えた構成が開示されている。
【先行技術文献】
【特許文献】
【０００５】
【特許文献１】特開２０１３−２０５４４３号公報
【特許文献２】特開２０１３−２０５４４４号公報
【特許文献３】特開２０１４−１７４３８１号公報
【発明の概要】
【発明が解決しようとする課題】
【０００６】
本発明は、加熱ベルトの内側の熱源の熱を加熱ベルトに効率的に伝熱する構造を備えた定着装置および画像形成装置を提供することを目的とする。
【課題を解決するための手段】
【０００７】
請求項１は、無端状に形成されて周回しながら、未定着トナー像を保持して搬送されてきた記録媒体を加熱する加熱ベルトを備えた加熱器と、
前記記録媒体を前記加熱器との間に挟んで加圧し、該加熱器による加熱と協同して、該記録媒体上の未定着トナー像を該記録媒体に定着する加圧器とを有し、
前記加熱器がさらに、
前記加熱ベルトの内側に配置され該加熱ベルトの内面に接する接触領域を形成して広がる第１の板体と、
前記接触領域において、前記加熱ベルトとの間に前記第１の板体を挟んで該第１の板体に接する熱源と、
前記第１の板体との間に前記熱源を置いて該熱源から離れて広がる第２の板体とを備え、
前記第１の板体が、前記第２の板体と比べ相対的に、熱の吸収率が高い部材であり、
前記第２の板体が、前記第１の板体と比べ相対的に、熱の反射率が高い部材であって、さらに、該第２の板体が該第１の板体に接していることを特徴とする定着装置である。
【０００８】
請求項２は、前記第２の板体が、前記第１の板体にのみ支持されていることを特徴とする請求項１記載の定着装置である。
【０００９】
請求項３は、前記第１の板体と前記第２の板体が一体の部材からなり、表面処理によって熱の吸収率と反射率に差異を持たせたものであることを特徴とする請求項１又は２記載の定着装置である。
【００１０】
請求項４は、請求項１から３のうちのいずれか１項記載の定着装置と、
記録媒体上に未定着トナー像を形成する像形成装置と、
記録媒体を前記像形成装置と前記定着装置を通過する経路上を搬送する搬送装置とを備えたことを特徴とする画像形成装置である。
【発明の効果】
【００１１】
請求項１の定着装置および請求項４の画像形成装置によれば、熱源が第１の板体から離れた位置に設置されている場合と比べ、熱源の熱を加熱ベルトに効率的に伝熱することができる。
【００１２】
請求項２の定着装置によれば、第２の板体が第１の板体以外の部材に支持されている場合と比べ、第２板体から第１の板体への伝熱が効率的に行われる。
【００１３】
請求項３の定着装置によれば、第１の板体と第２の板体とを別々の部材で構成する場合と比べ、部品コストの低減および組立コストの低減が図られる。
【図面の簡単な説明】
【００１４】
【図１】本発明の画像形成装置の一実施形態としてのプリンタの概略構成図である。
【図２】第１例としての定着器の断面構造を示した図である。
【図３】熱伝導部材のみを示した断面図である。
【図４】第２例としての定着器の断面構造を示した図である。
【図５】第３例としての定着器の断面構造を示した図である。
【発明を実施するための形態】
【００１５】
本発明の実施形態について、以下、図面を参照して説明する。
【００１６】
図１は、本発明の画像形成装置の一実施形態としてのプリンタの概略構成図である。
【００１７】
図１に示すプリンタ１０はモノクロプリンタであり、プリンタ１０には、本発明の定着装置の一実施形態が組み込まれている。
【００１８】
プリンタ１０には、プリンタ１０外で作成された、画像を表す画像信号が、不図示の信号ケーブル等を介して入力される。プリンタ１０には、このプリンタ１０内の各構成要素の動きを制御する制御部１１が備えられており、画像信号はこの制御部１１に入力される。そして、プリンタ１０では、この制御部１１の制御の下で、画像信号に基づく画像の形成が行われる。
【００１９】
プリンタ１０の下部には、２台の用紙トレイ２１が収容されている。これらの用紙トレイ２１には、各用紙トレイ２１ごとに寸法の異なる用紙Ｐが積み重なった状態に収容されている。各用紙トレイ２１は、用紙Ｐの補給のために、引出し自在に構成されている。
【００２０】
それら２台の用紙トレイ２１のうちの、制御部１１に入力された画像信号が表している画像の寸法に適合した寸法の用紙Ｐが用紙トレイからピックアップロール２２により送り出される。送り出された用紙Ｐは、さばきロール２３により１枚ずつに分離され、その分離された１枚の用紙Ｐが上方に搬送されてその用紙Ｐの先端が待機ロール２４に至る。待機ロール２４は、それ以降の搬送のタイミングを調整して用紙Ｐを送り出す役割りを担っている。待機ロール２４に到達した用紙Ｐは、その待機ロール２４によりそれ以降の搬送のタイミングが調整されてさらに搬送される。
【００２１】
このプリンタ１０には、矢印Ａで示す向きに回転する感光体１２が待機ロール２４の上方に備えられている。そして、この感光体１２の周囲に、帯電器１３、露光器１４、現像器１５、転写器１６、および感光体クリーナ１７が配備されている。
【００２２】
感光体１２は円筒形状を有し、図１の奥行き方向に延伸しており、表面の帯電により電荷を保持し露光によりその電荷を放出してその表面に静電潜像が形成される。
【００２３】
帯電器１３は、感光体１２の表面に接触して回転する帯電ロールを備えており、その帯電ロールで感光体１２の表面に電荷を付与することによってその表面を帯電させる。なお、帯電器１３としては、帯電ロールの他に、感光体に非接触のコロナ放電器なども採用され得る。
【００２４】
露光器１４は、制御部１１から供給される画像信号に応じて変調されたレーザ光（露光光）を発光する発光器と、レーザ光で感光体１２を走査するための回転多面鏡とを有しており、露光器１４からはその露光光が出力される。感光体１２は、この露光光による露光を受け、感光体１２の表面に静電潜像が形成される。なお、露光器１４としては、レーザ光を用いる方式の他に、走査方向に沿って多数のＬＥＤが並んだＬＥＤアレイなども採用され得る。さらに、潜像を形成する方式としては、露光方式の他に、走査方向に沿って並んだ多数の電極で直接に潜像を形成する方式なども採用され得る。
【００２５】
感光体１２が露光光により露光されてその表面に形成された静電潜像は、現像器１５により現像される。この現像器１５には、トナー供給路１５ｂを介してトナー収納部１５ａが繋がっている。現像器１５内にはトナーと磁性キャリアを含んだ現像剤が収納されていて、トナー収納部１５ａに収納されているトナーが、トナー供給路１５ｂを通って現像器１５へと適宜に補給される。磁性キャリアは、例えば鉄粉の表面に樹脂コーテイングを施したものである。また、トナー粒子は、例えば結着樹脂、着色剤、および離型剤を材料として形成されたものである。現像器１５は、磁性キャリアの粒子とトナーの粒子とが混合された現像剤を撹拌することでトナーおよび磁性キャリアを帯電させる。現像器１５は現像ロール１５ｃを備えており、現像器１５内の現像剤は現像ロール１５ｃによって感光体１２に供給され、現像剤中の帯電トナーによって感光体１２表面の潜像が現像されてトナー像が形成される。
【００２６】
ここで、上記の待機ロール２４は、感光体１２上のトナー像が、転写器１６に対面した位置に達するタイミングに合わせてその位置に到達するように用紙Ｐを送り出す。そして、感光体１２上のトナー像は、転写器１６の作用を受け、その送り出されてきた用紙Ｐ上に転写される。なお、転写器１６としては、中間転写体を備えて感光体１２上のトナー像を中間転写体に一旦転写し、その中間転写体上のトナー像を用紙Ｐ上に転写する方式のものも採用され得る。
【００２７】
トナー像の転写後に感光体１２上に残存するトナーは、感光体クリーナ１７により、感光体１２から取り除かれる。
【００２８】
ここで、感光体１２、帯電器１３、露光器１４、現像器１５、および転写器１６を合わせたものが、本発明にいう像形成装置の一例に相当する。
【００２９】
トナー像の転写を受けた用紙Ｐは、さらに矢印Ｂ方向に進み、定着器１００による加熱および加圧を受けてその用紙Ｐ上にトナー像が定着される。その結果、用紙Ｐ上には定着トナー像からなる画像が形成される。この定着器１００は、本発明の定着装置の一実施形態に相当する。
【００３０】
定着器１００を通過した用紙Ｐは、排出器２００に向かって矢印Ｃ方向に進み、さらに、その排出器２００によってさらに矢印Ｄ方向に送られて排紙台１８上に排出される。
【００３１】
このプリンタ１０における、用紙トレイ２１から用紙Ｐを取り出し、感光体１２と転写器１６との間を通過し、さらに定着器１００を通過して、排紙台１８上に用紙を排出する機構が、本発明にいう搬送装置の一例に相当する。
【００３２】
図２は、第１例としての定着器の断面構造を示した図である。この図２に示す定着器１００Ａは、図１に示すプリンタ１０に備えられる定着器１００として採用し得る定着器の第１例である。
【００３３】
この定着器１００Ａは、加熱器１１０と加圧器１２０とを備えている。
【００３４】
加熱器１１０は、無端状に形成された加熱ベルト１１１を備えている。また、この加熱器１１０は、その加熱ベルト１１１の内部に熱伝導部材１１２、ハロゲンランプ１１３、支持部材１１４、およびニップ部材１１５が配備されている。
【００３５】
支持部材１１４は、図２の紙面に垂直な方向に延伸し、加熱ベルト１１１の両端縁からそれぞれ食み出た両端部がプリンタ１０（図１）の筐体に支持されている。この支持部材１１４は、加熱ベルト１１１の内部に配備されている他の部材の支持の土台となる部材である。
【００３６】
ニップ部材１１５は、支持部材１１４に支持されていて、加圧器１２０の押圧を受ける部材である。
【００３７】
本実施形態の加圧器１２０はロール形状を有し、不図示の駆動装置により矢印Ｒ２方向に回転する。この図２では、加熱ベルト１１１は円形に示されているが、この加熱ベルト１１１は、加圧器１２０によりニップ部材１１５に押し当てられて、ニップ部材１１５の表面形状に沿う形状に変形している。そして、この加熱ベルト１１１は、ニップ部材１１５と加圧器１２０とに挟まれて変形することで、搬送されてきた用紙を加熱ベルトと加圧器１２０との間に挟むニップ領域を形成している。さらに、この加熱ベルト１１１は、加圧器１２０の矢印Ｒ２方向への回転に従動して矢印Ｒ１方向に回転する。
【００３８】
また、加熱ベルト１１１の内側に配置された熱伝導部材１１２は、熱伝導率の高い材料、例えば金属の板材からなり、加熱ベルト１１１の周回方向の一端１１２ａが支持部材１１４に固定され、加熱ベルト１１１に沿って広がり、加熱ベルト１１１の内面に接している。この加熱ベルト１１１のうちの、熱伝導部材１１３が接している領域を、接触領域Ｄ０と称する。この熱伝導部材１１２は、その接触領域Ｄ０を形成してさらに広がり、ハロゲンランプ１１３を取り巻いている。この熱伝導部材１１２は、図２の紙面に垂直な方向には、この図２に示す断面形状のまま延伸している。
【００３９】
ハロゲンランプ１１３は、上記の接触領域Ｄ０において加熱ベルト１１１との間に熱伝導部材１１２を挟んだ位置に配置され、熱伝導部材１１２に接した状態に熱伝導部材１１２に固定されている。
【００４０】
図３は、熱伝導部材のみを示した断面図である。
【００４１】
この熱伝導部材１１２は、上記の通り、例えば金属材料で形成されていて高い熱伝導率を有する。この熱伝導部材１１２は、さらに、ハロゲンランプ１１３に面する内面が鏡面仕上げとなっていて、その内面の熱反射率が高められている。ただし、その熱伝導部材１１２の内面のうちの、ハロゲンランプ１１３が接している側の、略半分の面積を占める熱吸収領域Ｄ１は黒色で塗装されていて、これにより熱吸収率が高められている。ここでは、その熱伝導部材１１２のうちの、内面が黒色塗装されている領域を熱吸収領域Ｄ１を除く残りの、領域、すなわち、熱吸収領域Ｄ１との間にハロゲンランプ１１３を挟んでハロゲンランプ１１３から離れて広がる、鏡面仕上げにより熱反射率の高い領域を反射領域Ｄ２と称する。
【００４２】
すなわち、この熱伝導部材１１２において、熱吸収領域Ｄ１は、熱反射領域Ｄ２よりも相対的に、熱の吸収率が高く、熱反射領域Ｄ２は、熱吸収領域Ｄ１よりも相対的に、熱の反射率が高い。また、この熱伝導部材１１２は１枚の板材からなり、したがって、熱反射領域Ｄ２は熱吸収領域Ｄ１にそのまま繋がっている。本実施形態では、この熱伝導部材１１２の熱吸収領域Ｄ１および熱反射領域Ｄ２が、本発明にいう、それぞれ、第１の板体および第２の板体の各一例に相当する。
【００４３】
ハロゲンランプ１１３は、熱伝導部材１１２の熱吸収領域Ｄ１に接している。このため、ハロゲンランプ１１３の熱は、先ず１つには、そのハロゲンランプ１１３から熱伝導部材１１２の熱吸収領域Ｄ１に直接に吸収されて、加熱ベルト１１１に受け渡される。また、ハロゲンランプ１１３から熱反射領域Ｄ２側に放射した輻射熱は、その熱反射領域Ｄ２で熱吸収領域Ｄ１に向け反射されて熱吸収領域Ｄ２に吸収されて加熱ベルト１１１を加熱する。また、この第１例の場合、熱吸収領域Ｄ１と熱反射領域Ｄ２は、それらの双方が１枚の板材からなる熱伝導部材１１２に形成されているため、互いに繋がっている。このため、熱反射領域Ｄ２で反射されずにその熱反射領域Ｄ２に吸収された熱は、熱伝導により、熱伝導部材１１２内を流れて熱吸収領域Ｄ１に伝熱され、加熱ベルト１１１に伝えられる。
【００４４】
本実施形態では、このように、ハロゲンランプ１１３が熱伝導部材１１２に直接接触し、熱伝導部材１１２という１枚の板材を介して加熱ベルト１１１に直に熱を伝える構造となっている。このため、ハロゲンランプ１１３が熱伝導部材１１２から離れている構造と比べ、ハロゲンランプ１１３の熱が加熱ベルト１１１に効率よく伝えられる。
【００４５】
また、本実施形態では、熱伝導部材１１２に熱吸収領域Ｄ１と熱反射領域Ｄ２を形成し、ハロゲンランプ１１３からの輻射熱を加熱ベルト１１１への伝熱を担う接触領域に効率よく集中させている。
【００４６】
さらに、本実施形態では、熱伝導部材１１２を１枚の板材で作製して、その１枚の板材上に熱吸収領域Ｄ１と熱反射領域Ｄ２を形成しているため、熱反射領域Ｄ２に吸収された熱も、熱伝導部材１１２内の伝熱により熱吸収領域Ｄ１に伝熱される。
【００４７】
このように、この第１例の場合、ハロゲンランプ１１３の熱が加熱ベルト１１１に高い効率で伝熱される。
【００４８】
図４は、第２例としての定着器の断面構造を示した図である。この図４に示す定着器１００Ｂは、図１に示すプリンタ１０に、図２に示した定着器１００Ａに代えて採用し得る定着器である。
【００４９】
この図４において、図２に示す定着器１００Ａの要素と同じ要素には、図２において付した符号と同一の符号を付して示す。そして、この図４に示す定着器１００Ｂの説明にあたっては、図２に示す定着器１００Ａとの相違点を取り上げて説明する。
【００５０】
図２に示した定着器１００Ａの場合、１枚の熱伝導部材１１２が備えられていて、その熱伝導部材１１２に熱吸収領域Ｄ１と熱反射部材Ｄ２との双方が形成されている。これに対し、図４に示す定着器１００Ｂの場合、図２の定着器１００Ａにおける熱伝導部材１１２に代わり、熱吸収部材１１６と熱反射部材１１７が備えられている。
【００５１】
熱吸収部材１１６は、熱伝導率の高い材料、例えば金属の板材からなり、輻射熱の吸収率を上げるために黒色に塗装されている。この熱吸収部材１１６は、加熱ベルト１１１の周回方向の、図４に示す上端１１６ａが、指示部材１１４に固定され、加熱ベルト１１１に沿って広がり、加熱ベルト１１１の内面に接して接触領域Ｄ０を形成し、さらに下方に広がっている。この熱吸収部材１１６は、図４の紙面に垂直な方向には、この図４に示す断面形状のまま延伸している。
【００５２】
ハロゲンランプ１１３は、接触領域Ｄ０において、加熱ベルト１１１との間に熱吸収部材１１６を挟んだ位置に配置され、熱吸収部材１１６に接した状態に熱吸収部材１１６に固定されている。
【００５３】
一方、熱反射部材１１７は、基材としては、熱吸収部材１１６と同一の、例えば熱伝導率の高い金属の板材からなる。ただし、塗装はされておらず、輻射熱の反射率を高めるためにその表面が鏡面に仕上げられている。この熱反射部材１１７は、図４における下端１１７ａが支持部材１１４に固定され、上方に広がって熱吸収部材１１６に接している。ここでは、熱反射部材１１７は、熱吸収部材１１６の下端部１１６ｂを持ち上げるようにして熱吸収部材１１６を弾性変形させていて、これにより、熱吸収部材１１６と熱反射部材１１７は、多少の振動等があっても常に接触している構造となっている。また、この熱反射部材１１７は、熱吸収部材１１６との間にハロゲンランプ１１３を置いて、そのハロゲンランプ１１３から離れて広がっている。
【００５４】
熱吸収部材１１６および熱反射部材１１７の各作用は、図２の定着器１００Ａに組み込まれている熱伝導部材１１２の熱伝導領域Ｄ１および熱反射領域Ｄ２の各作用とそれぞれ同一であり、ここでの重複説明は省略する。熱反射部材１１７は熱吸収部材１１６に接しているため、熱反射部材１１７で吸収された熱の、熱吸収部材１１６への伝熱についても、図２の熱伝導部材１１２と同一である。
【００５５】
このように、本発明にいう第１の板体および第１２の板体は、双方を通じて一体の部材である必要はなく、別々の部材であってもよい。
【００５６】
図５は、第３例としての定着器の断面構造を示した図である。この図５に示す定着器１００Ｃも、図１に示すプリンタ１０に、図２に示した定着器１００Ａに代えて採用し得る定着器である。
【００５７】
この図５に示す定着器１００Ｃには、図４に示す定着器１００Ｂの要素と同じ要素には、図４において付した符号と同一の符号を付して示す。そして、この図５に示す定着器１００Ｃの説明にあたっては、図４に示す定着器１００Ｂとの相違点を取り上げて説明する。
【００５８】
図５に示す定着器１００Ｃには、図４に示す定着器１００Ｂに備えられている熱吸収部材１１６および熱反射部材１１７に代えて、熱吸収部材１１８および熱反射部材１１９が備えられている。この図５に示す熱吸収部材１１８および熱反射部材１１９は、形状の相違はあるものの、その材質や表面の性状等は、図４に示す熱吸収部材１１６および熱反射部材１１７とそれぞれ同一である。
【００５９】
この図５に示す定着器１００Ｃの、図４に示す定着器１００Ｂとの相違点は、熱反射部材１１９の下端部１１９ｂが熱吸収部材１１８の下端部１１８ｂに固定され、これによって、熱反射部材１１９は、熱吸収部材１１８にのみ支持されている点である。
【００６０】
図４に示す定着器１００Ｂの熱反射部材１１７は、熱吸収部材１１６に接してはいるものの、その下端１１７ａが支持部材１１４に固定されている。このため、熱反射部材１１７に吸収された熱のうちの一部は、熱吸収部材１１６には伝熱されずに、支持部材１１４に伝熱されて散逸する。
【００６１】
これに対し、図５に示す定着器１００Ｃの熱反射部材１１９は、熱吸収部材１１８にのみ支持されているため、熱反射部材１１９に吸収された熱の、熱吸収部材１１８への伝熱率が高まり、このことにより、この図５に示す定着器１００Ｃは、図４に示す定着器１００Ｂと比べ、加熱ベルト１１１への伝熱効率がさらに高められている。
【００６２】
なお、ここでは、熱伝導部材１１２の熱吸収領域Ｄ１、および熱吸収部材１１６，１１８は、黒色塗装されている旨、説明したが、黒色塗装に代わる他の表面処理で熱の吸収率を高めてもよく、あるいは材料自在が熱の吸収率の高い材料であってもよい。ただし、熱反射領域Ｄ２が一体となった熱伝導部材１１２の場合、熱の吸収率の高い材料を用いたときは、熱反射領域Ｄ２について熱の反射率を高める処理が必要となる。
【００６３】
また、ここでは、加熱ベルト１１１の周回方向についてニップ部材１１５とは１８０°異なる位置に接触領域Ｄ０を形成しているが、この接触領域Ｄ０は、この位置に限られるものではなく、周回方向のどの位置に形成してもよい。
【００６４】
また、上記実施形態では、画像形成装置の一例としてモノクロプリンタを示して説明したが、本発明の画像形成装置は、カラープリンタであっても良く、あるいは、ファクシミリやコピー機や複合機等であってもよい。
【００６５】
また、上記実施形態では、本発明にいう像形成装置の一例として、感光体上に形成されたトナー像を記録媒体上に転写するタイプの像形成装置を示して説明したが、本発明にいう像形成装置は、記録媒体上にトナー像を直接に形成するタイプのものであっても良い。
【符号の説明】
【００６６】
１０    プリンタ
１２    感光体
１３    帯電器
１４    露光器
１５    現像器
１６    転写器
１００，１００Ａ，１００Ｂ，１００Ｃ  定着器
１１０  加熱器
１１１  加熱ベルト
１１２  熱伝導部材
１１３  ハロゲンランプ
１１４  支持部材
１１５  ニップ部材
１１６，１１８  熱吸収部材
１１７，１１９  熱反射部材
１２０  加圧器
【図１】
2017026876.tif 000003
【図２】
2017026876.tif 000004
【図３】
2017026876.tif 000005
【図４】
2017026876.tif 000006
【図５】
2017026876.tif 000007